(57)【要約】【課題】  おむつの交換や着替えを簡易に行うことが可能であるとともに、診察や治療を迅速に行うことが可能である衣服の提供を課題とする。【解決手段】  ズボン３は、左右両側に、腰口３５から裾口４２ａ，４２ｂまでの全長に渡って設けられた分離可能なスライドファスナ部３２ａ，３２ｂと、スライドファスナ部３２ａ，３２ｂに沿って設けられ、スライドファスナ部３２ａ，３２ｂを裏側から被覆する裏地とを備えたものである。上着２は、身頃口１６から袖下を通った袖口２２ａまでの全長に渡って設けられた分離可能なスライドファスナ部１２と、スライドファスナ部１２に沿って設けられ、スライドファスナ部１２を裏側から被覆する裏地とを備えたものである。【選択図】        図１
0003103617.tif 000002
【実用新案登録請求の範囲】
【請求項１】
腰口及び裾口を有し、着衣者の下半身を被服する筒状の衣服であって、
左右両側の少なくとも一方に、前記腰口から所定の長さに渡って設けられた分離可能な分離手段と、
該分離手段に沿って設けられ、該分離手段を裏側から被覆する裏地と
を備えることを特徴とする衣服。
【請求項２】
前記分離手段は、前記腰口から前記裾口までの全長に渡って設けられていることを特徴とする請求項１に記載の衣服。
【請求項３】
前記分離手段によって分割され着衣者の下半身の後面を被覆する部分のずれを防止するずれ止め手段をさらに備えることを特徴とする請求項１または請求項２に記載の衣服。
【請求項４】
前記分離手段は、前面の左右両側に設けられていることを特徴とする請求項１から請求項３までのいずれか一つに記載の衣服。
【請求項５】
袖口及び身頃口を有し、着衣者の上半身を被覆する筒状の衣服であって、
左右両側の少なくとも一方に、前記身頃口から袖下を通った前記袖口までの全長に渡って設けられた分離可能な分離手段と、
該分離手段に沿って設けられ、該分離手段を裏側から被覆する裏地と
を備えることを特徴とする衣服。
【考案の詳細な説明】
【技術分野】
【０００１】
本考案は、着衣者の身体を被覆する衣服に関するものである。特に、身体に障害を負った者や身体機能の低下した者や寝たきりとなった者や精神障害者などの身体を被覆する際に適用される衣服に関するものである。
【背景技術】
【０００２】
従来、衣服は、身頃を被覆する筒状の身頃部、及び、腕を被覆する筒状の袖部を有する上着と、脚を被覆する筒状の脚部、及び、下腹を被覆する筒状の下腹部を有するズボンとから主に構成されている。上着の身頃部には身頃口・襟口などが設けられ、袖部には袖口などが設けられている。そして、上着を着る者は、身頃口から身体を通して頭を襟口からだし、腕を袖部に通すとともに腕の先端付近を袖口からだして利用している。また、ズボンの脚部には裾口が設けられ、下腹部には腰口が設けられている。そして、ズボンを着る者は、脚を腰口から脚部に通して裾口からだし、腰口が腰付近の位置となるようにして利用している。
【考案の開示】
【考案が解決しようとする課題】
【０００３】
しかしながら、上記の従来の衣服は次に挙げるような不都合を有していた。それは、上記のような衣服は、着る者が身体に不自由がない健常者であることを前提として作製されているものであることから、事故・病気・高齢などにより身体に障害を負った者や身体機能の低下した者や寝たきりとなった者や精神障害者などには、非常に利用し難い点が多いということである。
【０００４】
例えば、寝たきり老人など、用便を自らの意志で行うことができない者は、通常、おむつを着用しており用便の度におむつを交換しなければならないが、この交換の際に介護者などがズボンの腰口を膝下あたりまでおろしてから作業を行い、その作業が終了すればズボンをまた元の位置へ戻さなければならない。このとき、ズボンの脚部及び下腹部の身体の裏側を被覆している部分は、身体と布団などとの間に挟まれていることから、介護者などがズボンの腰口を膝下あたりまでおろしたり元の位置へと戻したりする作業が大変なものとなってしまっていた。
【０００５】
また、例えば、寝たきり老人など、肢体を自らの意志で自由に動かすことができない者は、介護者などに上着やズボンの着替えを行ってもらわなければならないが、ズボンを脱がせる際に、上記のおむつ交換の場合と同様の問題があった。また、ズボンを着替える場合は、脚を脚部に通したり抜いたりしなければならないが、裾口は、通常、それほど余裕を持って広く形成されていないことから、介護者など他人が脚を脚部に通したり抜かせようとする場合は特にやり難くかった。また、上着を着替える際に、腕を袖部に通したり抜いたりしなければならないが、介護者などの他人が袖部を通したり抜けやすいように腕を上げさてから着替えを行わなければならず、やり難かった。
【０００６】
また、例えば、脚・腕・胸・腹の一部を負傷している者などは、診察や治療の度に、脚を負傷している場合は腰口を負傷箇所まで下ろしたり裾口を負傷箇所まで捲り上げたりしたり、腕を負傷している場合は袖口を捲り上げたり、胸・腹を負傷している場合は身頃口を捲り上げたりしているが、このような作業は手間がかかるとともに時間がかかってしまうものであった。また、脚・腕にギブス・包帯などを着用している場合は、裾口や袖口がギブス・包帯の箇所を通過することをできず、衣服を着用しにくかった。
【０００７】
本考案は上記の実情を鑑み、おむつの交換や着替えを簡易に行うことが可能であるとともに、診察や治療を迅速に行うことが可能である衣服の提供を課題とするものである。
【課題を解決するための手段】
【０００８】
上記の課題を解決するため、本考案にかかる衣服は、腰口及び裾口を有し、着衣者の下半身を被服する筒状の衣服であって、左右両側の少なくとも一方に、前記腰口から所定の長さに渡って設けられた分離可能な分離手段と、該分離手段に沿って設けられ、該分離手段を裏側から被覆する裏地とを備えることを主な特徴とするものである。
【０００９】
分離手段は、分離可能なものであれば、その具体的な構成をなんら限定するものではないが、例えば、スライドファスナ、面ファスナ、ボタンなどを挙げることができる。また、分離手段は、左右両側の腰口から所定の長さに渡って設けられていてもよく、着衣者の都合に合わせて左右のどちらか一方に設けられているものであってもよい。
【００１０】
したがって、本考案の衣服によれば、腰口から所定の長さに渡って分離手段が設けらていることから、この分離手段が設けられている部分で筒状の衣服が分離可能となる。すなわち、分離手段を接続すれば、通常のズボンと同様の外観となり、分離手段を分離すれば、筒状の衣服が、腰口から所定の長さに渡って、着衣者の下半身の前面を被覆する部分と、後面を被覆する部分とに分離されることが可能となる。
【００１１】
このため、例えば、寝たきり老人などのおむつを寝かせたままで交換する際に、分離手段で分離すれば、下半身の後面を被覆している部分はそのままで、下半身の前面を被覆している部分のみをはだけておむつの交換作業を行うことが可能となり、おむつの交換作業に伴う衣服の位置移動を簡易かつ迅速に行うことができる。
【００１２】
また、本考案によれば、裏地によって分離手段が裏側から被覆されることになり、分離手段が直接着衣者の肌に触れることがなくなる。このため、分離手段が着衣者の肌に直接触れることがないため、着衣者に違和感を与えることを防止できる。また、分離手段の分離または接続時に、着衣者の肌の一部が分離手段の間に挟まってしまうことを防止できる。
【００１３】
本考案にかかる衣服は、上記の構成に加え、前記分離手段は、前記腰口から前記裾口までの全長に渡って設けられているものであってもよい。
【００１４】
したがって、本考案の衣服によれば、裾口から腰口までの全長に渡って分離手段が設けらていることから、この分離手段が設けられている部分で筒状の衣服が分離可能となる。すなわち、分離手段を接続すれば、通常のズボンと同様の外観となり、分離手段を分離すれば、筒状の衣服が、着衣者の下半身の前面を被覆する部分と、後面を被覆する部分とに分離されることが可能となる。
【００１５】
このため、例えば、寝たきり老人など、脚を自らの意志で自由に動かすことができない者に対して、介護者など他者がズボンの着替えを手伝う際に、分離手段を分離すれば、着替えが容易となる。また、例えば、脚の一部を負傷している者などに診察や治療を行う際に、負傷箇所まで分離手段を分離させれば、裾口を捲り上げたり腰口を下ろしたりすることなく、診察や治療を行うことが可能となり、手間がかからず迅速に作業を進めることができる。さらに、着衣者が脚にギブス・包帯などを着用している場合であっても、分離手段を分離すれば、ズボンを着用しやすくなる。
【００１６】
本考案にかかる衣服は、上記の構成に加え、前記分離手段によって分割され着衣者の下半身の後面を被覆する部分のずれを防止するずれ止め手段をさらに備えるものであってもよい。
【００１７】
ずれ止め手段は、着衣者の下半身の後面を被覆する部分のずれを防止可能なものであれば、その具体的な構成をなんら限定するものではないが、例えば、着衣者の下半身の後面を被覆する部分の腰口に沿って設けられた挿通孔と、その挿通孔に挿通される紐とを主に備えるものであってもよく、着衣者の下半身の後面を被覆する部分の両縁から伸びるように設けられた紐を主に備えるものであってもよい。
【００１８】
したがって、本考案の衣服によれば、上記の作用に加え、例えば、寝たきり老人などのおむつを寝かせたままで交換する際に、おむつの交換作業に伴って着衣者の身体が動いても、下半身の後面を被覆している部分が着衣者の身体に対してずれることがない。このため、おむつの交換作業が終了すれば、下半身の後面を被覆している部分のずれを直すことなく分離手段を閉じることが可能となり、おむつの交換作業に伴う衣服の位置移動をより簡易かつ迅速に行うことができる。
【００１９】
本考案にかかる衣服は、上記の構成に加え、前記分離手段は、前面の左右両側に設けられているものであってもよい。
【００２０】
したがって、本考案の衣服によれば、上記の作用に加え、分離手段が、前面の左右両側に設けられることになる。このため、着衣者が仰向けに寝ていれば、分離手段が上側となり、分離手段の分離または接続を行いやすい。
【００２１】
また、上記の課題を解決するため、本考案にかかる衣服は、袖口及び身頃口を有し、着衣者の上半身を被覆する筒状の衣服であって、左右両側の少なくとも一方に、前記身頃口から袖下を通った前記袖口までの全長に渡って設けられた分離可能な分離手段と、該分離手段に沿って設けられ、該分離手段を裏側から被覆する裏地とを備えることを主な特徴とするものである。
【００２２】
したがって、本考案の衣服によれば、身頃口から袖下を通った袖口までの全長に渡って分離手段が設けらていることから、この分離手段が設けられている部分で筒状の衣服が分離可能となる。すなわち、分離手段を接続すれば、通常の上着と同様の外観となり、分離手段を分離すれば、筒状の衣服が、着衣者の上半身の前面を被覆する部分と、後面を被覆する部分とに分割されることが可能となる。
【００２３】
このため、例えば、腕などを自らの意志で自由に動かすことができない者に対して、介護者など他者が上着の着替えを手伝う際に、分離手段を分離すれば、着替えが容易となる。さらに、例えば、腕・腹・胸の一部を負傷している者などに診察や治療を行う際に、負傷箇所まで分離手段を分離させれば、袖口を捲り上げたり身頃口を下ろしたりすることなく、診察や治療を行うことが可能となり、手間がかからず迅速に作業を進めることができる。さらに、着衣者が腕にギブス・包帯などを着用している場合であっても、分離手段を分離すれば、衣服を容易に着用することができる。
【考案の効果】
【００２４】
以上のように、本考案は、おむつの交換や着替えを簡易に行うことが可能であるとともに、診察や治療を迅速に行うことが可能である衣服を提供できる。
【考案を実施するための最良の形態】
【００２５】
以下、本考案を実施するための最良の一実施形態である衣服１について、図１から図４までに基づき説明する。本実施形態の衣服１は、本考案を、着衣者の上半身を被覆する上着２と、着衣者の下半身を被覆するズボン３とに適用したものである。
【００２６】
先ず、本実施形態の衣服１の上着２の構成について図１および図２に基づき説明する。上着２は、図１に示すように、着衣者の胴体を主に被覆する身頃部１０と、着衣者の腕を主に被覆する二つの袖部１１ａ，１１ｂと、筒状の身頃部１０及び袖部１１ａを分離可能な構成とするためのスライドファスナ部１２とを主に備えている。なお、図１は、衣服１の上着２の構成を示す正面図である。
【００２７】
身頃部１０は、図１及び図２（ａ）に示すように、着衣者の胴体の前面を主に被覆する前身頃１３と、着衣者の胴体の後面を主に被覆する後身頃１４と、着衣者の頭を突出させるための襟口１５と、着衣者の下腹部付近を突出させるための身頃口１６と、前身頃１３に設けられた開閉可能な開閉部１７と、前身頃１３に設けられたポケット１８とを主に備えている。開閉部１７は、相対する二つの縁に面ファスナ１９が取付けられており、これによって開閉を可能とするものである。なお、図２（ａ）は、上着２の前身頃１３を開いた状態を示す正面図である。
【００２８】
袖部１１ａ，１１ｂは、身頃部１０の肩口から連続して設けられているものであり、着衣者の腕の前面を主に被覆する前袖２０ａ，２０ｂと、着衣者の腕の後面を主に被覆する後袖２１ａと、腕の先端を突出させるための袖口２２ａ，２２ｂとを備えている。
【００２９】
スライドファスナ部１２は、図１の紙面左側の身頃口１６から袖下を通った袖口２２ａまでの全長に渡って設けられており、図２（ａ），（ｂ）に示すように、前身頃１３及び前袖２０ａ、並びに、後身頃１４及び後袖２１ａの相対する縁にそれぞれ設けられた噛合部２３ａ，２３ｂと、その噛合部２３ａ，２３ｂを開閉するためのスライダ２４と、噛合部２３ａに沿って前身頃１３に設けられ、噛合部２３ａ，２３ｂを裏側から被覆する裏地２５とを主に備えている。ここで、噛合部２３ａ，２３ｂ及びスライダ２４などを組合わせたものが本考案の分離手段に相当する。なお、図２（ｂ）は、上着２のスライドファスナ部１２の要部を拡大して示す要部拡大図である。
【００３０】
次に、本実施形態の衣服１のズボン３の構成について図１及び図３に基づき説明する。ズボン３は、図１に示すように、着衣者の下腹を主に被覆する下腹部３０と、着衣者の脚を主に被覆する二つの脚部３１ａ，３１ｂと、筒状の下腹部３０及び脚部３１ａ，３１ｂを開閉可能な構成とするための二つのスライドファスナ部３２ａ，３２ｂとを主に備えている。
【００３１】
下腹部３０は、着衣者の下腹の前面を主に被覆する前下腹部３３と、着衣者の下腹の後面を主に被覆する後下腹部３４と、着衣者の胴体を突出させるための腰口３５とを主に備えている。なお、腰口３５において、スライドファスナ部３２ａ，３２ｂによって分割され、着衣者の下腹の後面を主に被覆する後下腹部３４に、挿通孔３６が設けられている。そして、その挿通孔３６には紐３７が挿通されている。ここで、挿通孔３６及び紐３７を組合わせたものが本考案のずれ止め手段に相当する。さらに、腰口３５において、スライドファスナ部３２ａ，３２ｂによって分割され、着衣者の下腹の前面を主に被覆する前下腹部３３には、ゴムベルト３８が設けられている。なお、腰口３５において、前下腹部３３と後下腹部３４と相対する二つの縁に面ファスナ３９が取付けられており（図３（ａ），（ｂ）参照）、これにより開閉を可能とするものである。
【００３２】
脚部３１ａ，３１ｂは、下腹部３０から連続して設けられているものであり、着衣者の脚の前面を主に被覆する前脚部４０ａ，４０ｂと、着衣者の脚の後面を主に被覆する後脚部４１ａ，４１ｂと、着衣者の脚の先端を突出させるための裾口４２ａ，４２ｂとを備えている。
【００３３】
スライドファスナ部３２ａ，３２ｂは、図１の紙面左右両側の腰口３５から裾口４２ａ，４２ｂまでの全長に渡って上下方向に設けられており、前下腹部３３及び前脚部４０ａ，４０ｂ、並びに、後下腹部３４及び後脚部４１ａ，４１ｂの相対する縁にそれぞれ設けられた噛合部４３ａ，４３ｂ，４４ａ，４４ｂと、その噛合部４３ａ，４３ｂ，４４ａ，４４ｂをそれぞれ開閉するためのスライダ４５ａ，４５ｂと、噛合部４３ａ，４３ｂ，４４ａ，４４ｂを裏側からそれぞれ被覆する裏地４６ａ，４６ｂとを主に備えている。ここで、噛合部４３ａ，４３ｂ，４４ａ，４４ｂ及びスライダ４５ａ，４５ｂを組合わせたものが本考案の分離手段に相当する。
【００３４】
次に、本実施形態の衣服１の上着２及びズボン３の使用方法について説明する。上着２は、身頃口１６から袖下を通った袖口２２ａまでの全長に渡ってスライドファスナ部１２が設けらていることから、このスライドファスナ部１２が設けられている部分で筒状の上着２の身頃部１０及び袖部１１ａが図２（ａ）に示すような状態に分離可能となる。すなわち、スライドファスナ部１２を接続すれば、通常の上着と同様の外観となり、スライドファスナ部１２を分離すれば、筒状の上着２が、着衣者の上半身の前面を被覆する前身頃１３及び前袖２０ａと、後面を被覆する後身頃１４及び後袖２１ａとに分割されることが可能となる。
【００３５】
一方、ズボン３は、裾口４２ａ，４２ｂから腰口３５までの全長に渡ってスライドファスナ部３２ａ，３２ｂが設けらていることから、このスライドファスナ部３２ａ，３２ｂが設けられている部分で筒状の下腹部３０及び脚部３１ａ，３１ｂが分離可能となる。すなわち、スライドファスナ部３２ａ，３２ｂを接続すれば、通常のズボンと同様の外観となり、スライドファスナ部３２ａ，３２ｂを分離すれば、筒状のズボン３が、図３（ａ），（ｂ）に示すように、着衣者の下半身の前面を被覆する前下腹部３３及び前脚部４０ａ，４０ｂと、後面を被覆する後下腹部３４及び後脚部４１ａ，４１ｂとに分割されることが可能となる。なお、図３（ａ）は、ズボン３の前下腹部３３を開いた状態を示す正面図であり、図３（ｂ）は、ズボン３の前下腹部３３及び前脚部４０ｂを開いた状態を示す正面図である。
【００３６】
そして、例えば、図４に示すように、寝たきり老人Ｎなど、腕などを自らの意志で自由に動かすことができない者に対して、介護者など他者が上着２及びズボン３の着替えを手伝う場合には、必要に応じて適宜スライドファスナ部１２，３２ａ，３２ｂを分離したり接続したりして着替えを行う。また、例えば、図４に示すように、寝たきり老人Ｎなどのおむつを寝かせたままで交換する場合は、スライドファスナ部３２ａ，３２ｂを分離して下半身の前面を被覆している前下腹部３３及び前脚部４０ａ，４０ｂのみをはだけ、挿通孔３６に挿通されている紐３７を着衣者の身体の前面で締結する。さらに、例えば、身体の一部を負傷している者などに診察や治療を行う場合は、負傷箇所までスライドファスナ部１２，３２ａ，３２ｂを分離させて診察や治療を行う。なお、図４は、衣服１の使用状態を示す説明図である。
【００３７】
このように、本実施形態の上着２及びズボン３では、介護者など他者が上着２及びズボン３の着替えを手伝う際に、スライドファスナ部１２，３２ａ，３２ｂを分離すれば、着替えが容易となる。また、負傷している箇所の診察や治療を行う際に、負傷箇所までスライドファスナ部１２，３２ａ，３２ｂを分離させれば、袖口２２ａ、身頃口１６、裾口４２ａ，４２ｂ、腰口３５などを捲り上げたり下ろしたりすることなく、診察や治療を行うことが可能となり、手間がかからず迅速に作業を進めることができる。また、着衣者がギブス・包帯などを着用している場合であっても、スライドファスナ部１２，３２ａ，３２ｂを分離させれば、容易に上着２及びズボン３を着用することができる。
【００３８】
また、本実施形態のズボン３では、寝かせたままでおむつを交換する際に、スライドファスナ部３２ａ，３２ｂを分離すれば、下半身の後面を被覆している後下腹部３４及び後脚部４１ａ，４１ｂはそのままで、下半身の前面を被覆している前下腹部３３及び前脚部４０ａ，４０ｂのみをはだけておむつの交換作業を行うことが可能となり、おむつの交換作業に伴うズボン３の位置移動を簡易かつ迅速に行うことができる。
【００３９】
また、本実施形態のズボン３では、挿通孔３６に挿通されている紐３７を着衣者の身体の前面で締結すれば、おむつの交換作業に伴って着衣者Ｎの身体が動いても、下半身の後面を被覆している後下腹部３４及び後脚部４１ａ，４１ｂが着衣者の身体に対してずれることがない。このため、おむつの交換作業が終了すれば、下半身の後面を被覆している前下腹部３３及び前脚部４０ａ，４０ｂのずれを直すことなくスライドファスナ部３２ａ，３２ｂを閉じることが可能となり、おむつの交換作業に伴うズボン３の位置移動をより簡易かつ迅速に行うことができる。
【００４０】
また、本実施形態の上着２及びズボン３では、裏地２５，４６ａ，４６ｂによってスライドファスナ部１２，３２ａ，３２ｂが裏側から被覆されることになり、スライドファスナ部１２が直接着衣者の肌に触れることがなくなる。このため、例えばスライドファスナ部１２の噛合部２３ａ，２３ｂの金属片が着衣者の肌に直接触れることがなく、着衣者に対して違和感を与えることを防止できる。また、スライドファスナ部１２の分離または接続時に、着衣者の肌の一部が噛合部２３ａ，２３ｂの間に挟まってしまうことを防止できる。
【００４１】
さらに、本実施形態のズボン３では、スライドファスナ部３２ａ，３２ｂが、前面の左右両側に設けられているため、着衣者が仰向けに寝ていれば、スライドファスナ部３２ａ，３２ｂが上側となり、スライドファスナ部３２ａ，３２ｂの分離または接続を行いやすい。
【００４２】
以上、本考案について好適な実施形態を挙げて説明した。しかし、本考案はこの実施形態に限定されるものではない。以下に示すように、本考案の要旨を逸脱しない範囲において、種々の改良及び設計の変更が可能である。
【００４３】
１．上記実施形態の衣服１のズボン３では、スライドファスナ部３２ａ，３２ｂが腰口３５から裾口４２ａ，４２ｂの全長に渡って設けられているものを示した。しかし、これに特に限定されるものではなく、スライドファスナ部３２ａ，３２ｂが腰口３５から例えば股下付近に相対する位置まで程度の所定の長さに渡って設けられているものであってもよい。
【００４４】
これによれば、スライドファスナ部３２ａ，３２ｂを短くすることが可能となり、噛合部４３ａ，４３ｂ，４４ａ，４４ｂに比較的軟らかいものを利用することができる。このため、寝る際に着用するパジャマなどに本考案を適用した場合でも、スライドファスナ部３２ａ，３２ｂが着衣者に対して違和感を与えることを防止できる。
【００４５】
２．上記実施形態の衣服１のズボン３では、ズボン３の左右両側にスライドファスナ部３２ａ，３２ｂが設けられているものを示した。しかし、これに特に限定されるものではなく、着衣者の都合に合わせて、左右のうち一方に設けられているものであってもよい。
【００４６】
３．上記実施形態の衣服１の上着２では、図１の紙面左側にスライドファスナ部１２が設けられているものを示した。しかし、これに特に限定されるものではなく、着衣者の都合に合わせて、右側のみに設けられているものであってもよく、左右両側に設けられているものであってもよい。
【００４７】
４．上記実施形態の衣服１は、パジャマなど屋内において着用するもののみならず、外出時に着用する洋服やスカートなど、様々な衣服にも適用することができる。
【産業上の利用可能性】
【００４８】
本考案の衣服は、介護用の上着やズボンなどの用途に利用できる。
【図面の簡単な説明】
【００４９】
【図１】本考案の一実施形態である衣服の上着の構成を示す正面図である。
【図２】（ａ）は、上着の前身頃及び前袖を開いた状態を示す正面図であり、（ｂ）は、上着のスライドファスナ部の要部を拡大して示す要部拡大図である。
【図３】（ａ）は、ズボンの前下腹部を開いた状態を示す正面図であり、（ｂ）は、ズボンの前下腹部及び前脚部を開いた状態を示す正面図である。
【図４】衣服の使用状態を示す説明図である。
【符号の説明】
【００５０】
１  衣服
２  上着
３  ズボン
１２  スライドファスナ部
１６  身頃口
２２ａ，２２ｂ  袖口
２３ａ，２３ｂ  噛合部（分離手段）
２４  スライダ（分離手段）
２５  裏地
３２ａ，３２ｂ  スライドファスナ部
３５  腰口
３６  挿通孔（ずれ止め手段）
３７  紐（ずれ止め手段）
４２ａ，４２ｂ  裾口
４３ａ，４３ｂ，４４ａ，４４ｂ  噛合部（分離手段）
４５ａ，４５ｂ  スライダ（分離手段）
４６ａ，４６ｂ  裏地
【図１】
0003103617.tif 000003
【図２】
0003103617.tif 000004
【図３】
0003103617.tif 000005
【図４】
0003103617.tif 000006